(57)【要約】【課題】入出力装置間の色再現範囲の違いに対応するための補正に優れた画像処理装置を提供することにある。【解決手段】実施形態によれば、画像処理装置は、制御手段と、補正手段とを備える。前記制御手段は、入力画像データに基づく画像を出力する画像出力装置の出力色再現範囲と前記入力画像データの各画素の色再現分布とに基づき、前記入力画像データの各画素のうちの前記出力色再現範囲から外れた各範囲外画素を補正するための画像補正パラメータを制御する。前記補正手段は、前記制御手段により制御された前記画像補正パラメータに基づき、前記入力画像データを補正する。【選択図】図８
2011130437.tif 000002
【特許請求の範囲】
【請求項１】
入力画像データに基づく画像を出力する画像出力装置の出力色再現範囲と前記入力画像データの各画素の色再現分布とに基づき、前記入力画像データの各画素のうちの前記出力色再現範囲から外れた各範囲外画素を補正するための画像補正パラメータを制御する制御手段と、
前記制御手段により制御された前記画像補正パラメータに基づき、前記入力画像データを補正する補正手段と、
を備えた画像処理装置。
【請求項２】
前記制御手段は、各範囲外画素の色再現分布に基づき、前記画像補正パラメータを制御する請求項１記載の画像処理装置。
【請求項３】
前記制御手段は、前記出力色再現範囲の境界と前記入力画像データの各画素のうち前記出力色再現範囲から外れる各範囲外画素との距離に基づき、前記画像補正パラメータを制御する請求項１又は２記載の画像処理装置。
【請求項４】
前記制御手段は、前記出力色再現範囲の境界と各範囲外画素との距離の総和に基づき、前記画像補正パラメータを制御する請求項３記載の画像処理装置。
【請求項５】
前記制御手段は、第１の総和値に基づき第１の画像補正パラメータを設定し、前記第１の総和値より大きい第２の総和値に基づき第２の画像補正パラメータを設定し、
前記補正手段は、前記第１の画像補正パラメータに基づき、第１及び第２の範囲外画素の第１の明度差を前記第１の明度差より大きい第２の明度差に拡大し、前記第２の画像補正パラメータに基づき、前記第１及び第２の範囲外画素の前記第１の明度差を前記第２の明度差より大きい第３の明度差に拡大する請求項４に記載の画像処理装置。
【請求項６】
前記制御手段は、範囲外画素の数に基づき、前記画像補正パラメータを制御する請求項１記載の画像処理装置。
【請求項７】
前記制御手段は、第１の範囲外画素数に基づき第１の画像補正パラメータを設定し、前記第１の範囲外画素数より大きい第２の範囲外画素数に基づき第２の画像補正パラメータを設定し、
前記補正手段は、前記第１の画像補正パラメータに基づき、第１及び第２の範囲外画素の第１の明度差を前記第１の明度差より大きい第２の明度差に拡大し、前記第２の画像補正パラメータに基づき、前記第１及び第２の範囲外画素の前記第１の明度差を前記第２の明度差より大きい第３の明度差に拡大する請求項６に記載の画像処理装置。
【請求項８】
前記制御手段は、前記出力色再現範囲に対応した出力ガマット情報と前記入力色再現範囲に対応した入力ガマット情報とに基づき、前記出力色再現範囲から外れる各範囲外画素を検出する請求項１乃至７の何れか１項記載の画像処理装置。
【請求項９】
前記制御手段は、前記画像出力装置の出力条件に対応した前記出力ガマット情報に基づき、前記出力色再現範囲から外れる各範囲外画素を検出する請求項８記載の画像処理装置。
【請求項１０】
前記制御手段は、片面印刷、両面印刷、及びＮ面へ印刷するためのＮ画像を１面へ縮小印刷するＮｉｎ１印刷のうちの少なくとも１つの印刷設定に対応した前記出力ガマット情報に基づき、前記出力色再現範囲から外れる各範囲外画素を検出する請求項８記載の画像処理装置。
【請求項１１】
前記補正手段により補正された前記入力画像データを色圧縮する色圧縮手段を備えた請求項１乃至１０記載の画像処理装置。
【請求項１２】
前記色圧縮手段は、前記色圧縮により、各範囲外画素を前記出力色再現範囲に収める請求項１１記載の画像処理装置。
【請求項１３】
入力画像データに基づく画像を出力する画像出力装置の出力色再現範囲と前記入力画像データの各画素の色再現分布とに基づき、前記入力画像データの各画素のうちの前記出力色再現範囲から外れた各範囲外画素を補正するための画像補正パラメータを制御し、
前記制御手段により制御された前記画像補正パラメータに基づき、前記入力画像データを補正する画像処理方法。
【発明の詳細な説明】
【技術分野】
【０００１】
本発明の実施形態は、画像処理装置及び画像処理方法に関する。
【背景技術】
【０００２】
デジタルカメラ等で撮影された画像を自動補正する各種技術が提案されている。例えば、撮影画像に対応したビットマップデータからヒストグラムを作成し、作成されたヒストグラムから特徴量を抽出し、特徴量に基づき画像を補正する技術が提案されている。
【先行技術文献】
【特許文献】
【０００３】
【特許文献１】特開２００２−２３２７２８号公報
【発明の概要】
【発明が解決しようとする課題】
【０００４】
しかし、入出力装置間の色再現範囲の違い、つまりガマット（Gamut）の違いにより、ディスプレイやマルチファンクションプリンタ（ＭＦＰ）などの出力装置で画像を出力した際に、画像の彩度又は階調が低下してしまうことがある。これは、入出力装置間のガマットの違いに対応するための補正量が不十分であったり過剰であったりするためである。
【０００５】
本発明の目的は、入出力装置間の色再現範囲の違いに対応するための補正に優れた画像処理装置及び画像処理方法を提供することにある。
【課題を解決するための手段】
【０００６】
実施形態によれば、画像処理装置は、制御手段と、補正手段とを備える。前記制御手段は、入力画像データに基づく画像を出力する画像出力装置の出力色再現範囲と前記入力画像データの各画素の色再現分布とに基づき、前記入力画像データの各画素のうちの前記出力色再現範囲から外れた各範囲外画素を補正するための画像補正パラメータを制御する。前記補正手段は、前記制御手段により制御された前記画像補正パラメータに基づき、前記入力画像データを補正する。
【図面の簡単な説明】
【０００７】
【図１】実施形態に係る画像処理装置のハードウェアの構成の一例を示す断面図である。
【図２】実施形態に係る画像処理装置の各機能の構成の一例を示すブロック図である。
【図３】画像処理装置による印刷プロセスの一例を示すフローチャートである。
【図４】画像補正処理の一例を示すフローチャートである。
【図５】ガマット差算出処理の一例を示すフローチャートである。
【図６】出力ガマット境界面と注目画素との距離算出を説明するための図である。
【図７】補正処理後であって且つガマットマッピング処理前のガマットプロットの一例を示す図である。
【図８】補正処理後であって且つガマットマッピング処理後のガマットプロットの一例を示す図である。
【図９】補正処理非適用時のガマットマッピング処理前のガマットプロットの一例を示す図である。
【図１０】補正処理非適用時のガマットマッピング処理後のガマットプロットの一例を示す図である。
【発明を実施するための形態】
【０００８】
以下、実施形態について図面を参照して説明する。
【０００９】
図１は、実施形態に係る画像処理装置のハードウェアの構成の一例を示す断面図である。図２は、実施形態に係る画像処理装置の各機能の構成の一例を示すブロック図である。
【００１０】
図１及び図２に示す画像処理装置は、例えば、マルチファンクションプリンタ（ＭＦＰ）である。図１及び図２に示すように、画像処理装置は、外部情報入力部１１、紙格納部１２、印刷部１３を備えている。さらに、図２に示すように、画像処理装置は、制御部２０を備え、制御部２０は、ＣＰＵ２１、記憶装置２２、演算Ｉ／Ｏ部２３を備えている。
【００１１】
外部情報入力部１１は、例えばネットワークを介して、パーソナルコンピュータ等から送信される印字ジョブ命令、ビットマップ画像、及び入力画像ガマット情報を受信する。
【００１２】
演算Ｉ／Ｏ部２３は、上記印字ジョブ命令、ビットマップ画像、及び入力画像ガマット情報（入力色再現範囲に関する情報）を受け取る。ＣＰＵ２１は、上記印字ジョブ命令、ビットマップ画像、及び入力画像ガマット情報を記憶装置２２へ記憶する。また、演算Ｉ／Ｏ部２３は、印刷部１３から送信される出力画像ガマット情報（出力色再現範囲に関する情報）を受け取る。ＣＰＵ２１は、出力画像ガマット情報を記憶装置２２へ記憶する。或いは、初期設定に対応して、記憶装置２２は、印刷部１３の出力画像ガマット情報を記憶する。
【００１３】
上記入力画像ガマット情報は、例えば上記パーソナルコンピュータのディスプレイのガマットデータである。つまり、上記ビットマップ画像に基づく画像を表示していたディスプレイのガマットデータ（ディスプレイの色再現範囲に関するデータ）である。また、上記出力画像ガマット情報は、印刷部１３のガマットデータ（印刷部１３の色再現範囲に関するデータ）である。
【００１４】
図３は、上記画像処理装置による印刷プロセスの一例を示すフローチャートである。図３に示すように、画像処理装置は、例えばネットワークを介して、パーソナルコンピュータ等から送信される印字ジョブ命令、ビットマップ画像、及び入力画像ガマット情報を受け取る(ＡＣＴ１)。制御部２０（ＣＰＵ２１）は、ビットマップ画像に対して後述する画像補正処理を適用し(ＡＣＴ２)、さらに、画像補正処理が適用されたビットマップ画像に対してガマットマッピング処理（色圧縮処理）を実行する(ＡＣＴ３)。さらに制御部２０（ＣＰＵ２１）は、紙格納部１２に格納された紙の搬送を制御する(ＡＣＴ４)。これに対応して、紙格納部１２は、紙をピックアップし搬送する。印刷部１３は、搬送された紙に対して、ガマットマッピング処理されたビットマップ画像に基づく画像を形成し(ＡＣＴ５)、画像が形成された紙を搬出する(ＡＣＴ６)。
【００１５】
図４は、上記説明した画像補正処理の一例を示すフローチャートである。図４に示すように、制御部２０（ＣＰＵ２１）は、記憶装置２２に記憶されたビットマップ画像に基づき、画質補正のための補正特徴量を算出する(ＡＣＴ２１)。例えば、制御部２０（ＣＰＵ２１）は、補正特徴量として、局所平均明度を算出する。つまり、制御部２０（ＣＰＵ２１）は、ビットマップ画像をYCbCr画像に変換し、YCbCr画像のY成分画像の矩形領域内の輝度値を足しあわせて平均値（局所平均明度）を算出する。
【００１６】
上記したように、制御部２０（ＣＰＵ２１）は、補正特徴量を算出した後、ガマット差を算出する(ＡＣＴ２２)。例えば、制御部２０（ＣＰＵ２１）は、ビットマップ画像を構成する各画素のうち出力画像ガマット情報が示す出力ガマット（出力色再現範囲）から外れる範囲外画素の数をカウントし、カウント結果に応じたガマット差を算出する。或いは、制御部２０（ＣＰＵ２１）は、出力画像ガマット情報が示す出力ガマット境界（出力色再現範囲の境界）と各範囲外画素との距離に基づき、ガマット差を算出する。例えば、制御部２０（ＣＰＵ２１）は、出力画像ガマット情報が示す出力ガマット境界と各範囲外画素との距離の総和に対応したガマット差を算出する。
【００１７】
制御部２０（ＣＰＵ２１）は、ガマット差に基づき画像補正処理を実行する（ＡＣＴ２３）。詳しくは後述するが、制御部２０（ＣＰＵ２１）は、ガマット差に基づき、画像補正パラメータを可変制御し、可変制御された画像補正パラメータに基づき画像補正処理を実行する。例えば、画像補正パラメータは、画像補正処理の強弱を制御するためのパラメータである。従って、制御部２０は、ガマット差に応じて、画像補正処理の強弱を制御することができる。
【００１８】
以下、出力色再現範囲の境界と各範囲外画素との距離に基づくガマット差の算出に着目して説明する。
【００１９】
図５は、ガマット差算出処理の一例を示すフローチャートである。図５に示すように、制御部２０（ＣＰＵ２１）は、入力画像をLabに変換する（ＡＣＴ２２１）。続いて、制御部２０（ＣＰＵ２１）は、入力画像を構成する複数画素のうちの注目画素が出力ガマット（出力ガマット境界）の内か外かを判定する（ＡＣＴ２２２）。注目画素が出力ガマット（出力ガマット境界）の外に位置する場合（ＡＣＴ２２２、ＹＥＳ）、図６に示すように、制御部２０（ＣＰＵ２１）は、注目画素に最も近い出力ガマット境界面との距離を算出し，算出距離値をガマット差に積算する（ＡＣＴ２２３）。制御部２０（ＣＰＵ２１）は、入力画像を構成する全ての画素について上記処理を実行し、ガマット差を算出する（ＡＣＴ２２１〜ＡＣＴ２２４）。
【００２０】
まとめると、制御部２０（ＣＰＵ２１）は、出力ガマットと入力画像を構成する各画素の色再現分布とに基づき、入力画像を構成する各画素のうち出力ガマット（出力ガマット境界）から外れる各範囲外画素の状況（分布）を検出し、各範囲外画素の状況（分布）に基づきガマット差を算出する。言い換えると、制御部２０（ＣＰＵ２１）は、各範囲外画素が出力ガマットからどれだけ外れているかの状況（分布）を検出し、各範囲外画素の状況に基づきガマット差を算出する。
【００２１】
上記説明したように、制御部２０（ＣＰＵ２１）は、算出されたガマット差に基づき、画像補正処理を実行する（ＡＣＴ２３）。例えば、制御部２０（ＣＰＵ２１）は、算出されたガマット差に基づき局所明度補正パラメータを可変制御し、可変制御された局所明度補正パラメータに基づき局所明度補正処理を実行する。つまり、制御部２０（ＣＰＵ２１）は、算出されたガマット差に基づき、局所明度補正処理の強弱を制御し、局所明度補正処理を実行する。
【００２２】
下記式［数１］は、局所明度補正処理の一例を示すものである。
【数１】
2011130437.tif 000003
【００２３】
例えば、ガマット差が大きい場合、入力画像に対する色圧縮量を大きくして、入力画像が補正される。これにより、補正後の画像は、出力装置の出力ガマットに対応した画像となり、補正後の画像は、出力装置で出力可能となる。つまり、補正後の画像を構成する各画素は、出力ガマット内に収まる。しかしながら、ガマット差が大きいからと言って、単純に、入力画像に対する色圧縮量を大きくすると、階調潰れが生じやすくなる。
【００２４】
そのため、ガマット差が大きい場合には、制御部２０（ＣＰＵ２１）は、色圧縮後でも階調が保たれるように、色圧縮前により強く画像を補正（例えば局所明度補正）する。上記説明したように、制御部２０（ＣＰＵ２１）は、ガマット差に応じて画像補正処理（補正量）を調節することができる。例えば、制御部２０（ＣＰＵ２１）は、下記式［数２］に基づき局所明度補正処理を実行する。
【数２】
2011130437.tif 000004
【００２５】
なお、上記［数２］ではガマット差と調整量が線形である場合を示したが、非線形でも良い。上記したように、制御部２０（ＣＰＵ２１）は、上記式［数２］に基づき補正処理（局所明度補正処理）を実行する。
【００２６】
さらに、制御部２０（ＣＰＵ２１）は、上記式［数２］に基づく補正処理後に、ガマットマッピング（色圧縮処理）を実行する。図７は、上記式［数２］に基づく補正処理後であって且つガマットマッピング処理前のガマットプロットの一例を示す図である。また、図８は、上記式［数２］に基づく補正処理後であって且つガマットマッピング処理後のガマットプロットの一例を示す図である。
【００２７】
これに対して、図９は、上記式［数２］に基づく補正処理を適用しないケースにおけるガマットマッピング処理前のガマットプロットの一例を示す図である。また、図１０は、上記式［数２］に基づく補正処理を適用しないケースにおけるガマットマッピング処理後のガマットプロットの一例を示す図である。
【００２８】
図１０では、Lab空間上のab平面でプロットされた画素Ａと画素Ｂの階調性が潰れているのに対して（画素Ａと画素Ｂの距離が大幅に縮んでいるのに対して）、図８では、Lab空間上のab平面でプロットされた画素Ａと画素Ｂの階調性が維持されていることが分かる（画素Ａと画素Ｂの距離がそれほど縮んでいないことが分かる）。
【００２９】
制御部２０（ＣＰＵ２１）は、上記式［数２］に基づき入力画像を補正し、その後、補正画像に対してガマットマッピング処理を実行し、さらに、ガマットマッピング処理画像に基づく画像形成を制御する。これに対応して、紙格納部１２は、紙をピックアップし搬送し、印刷部１３は、搬送される紙に対して、ガマットマッピング処理画像に基づき画像を形成する。
【００３０】
以下、本実施形態についてまとめる。
【００３１】
本実施形態の画像処理装置は、例えば、スキャナ又はデジタルカメラなどの画像入力装置により取得されたビットマップデータを出力（表示、印刷）するものである。画像処理装置は、画像入力装置から送信される入力画像（ビットマップデータ）に対して、画像の見栄えを改善するために画像補正を行う。この際、画像処理装置は、ビットマップデータの特性とエンジン特性(特に色再現範囲)によって画像補正の強弱を制御する。例えば、画像処理装置（制御部２０）は、ビットマップデータを構成する各画素の色再現分布とエンジン特性(特に色再現範囲)とに基づき、前記画像補正の強弱を制御する。即ち、画像処理装置（制御部２０）は、入力画像を構成する各画素のうちエンジン特性である色再現範囲から外れる各範囲外画素の状況を検出し、各範囲外画素が色再現範囲からどれだけ外れているかの状況に基づき、画像補正パラメータを可変制御し、可変制御された画像補正パラメータに基づき画像を補正（例えば局所明度補正）する。つまり、画像処理装置（制御部２０）は、可変制御された画像補正パラメータに基づき画像補正（例えば局所明度補正）の強弱を制御することができる。
【００３２】
特にコントラストを改善する補正処理(局所明度補正、コントラスト補正など)により、色再現範囲が異なる入出力機器間で黒つぶれなどが生じることがある。その際、エンジン特性を考慮せずに補正を行うと黒つぶれを助長させてしまう可能性がある。本実施形態の画像処理装置は、上記したように、ビットマップデータの特性とエンジン特性に基づき画像補正（例えば局所明度補正）の強弱を制御するため、このような黒つぶれを低減することができる。
【００３３】
例えば、上記説明したように、画像処理装置（制御部２０）は、出力色再現範囲の境界と各範囲外画素との距離の総和に基づき、画像補正パラメータを可変制御する。具体例を挙げると、画像処理装置（制御部２０）は、第１の総和値（比較的低い値）に基づき第１の画像補正パラメータを設定し、第１の総和値より大きい第２の総和値（比較的高い値）に基づき第２の画像補正パラメータを設定する。さらに、画像処理装置（制御部２０）は、第１の画像補正パラメータに基づき、第１及び第２の範囲外画素の第１の明度差を第１の明度差より広い第２の明度差に拡大し、その後、第１の画像補正パラメータにより補正された入力画像をガマットマッピング処理（色圧縮）する。また、画像処理装置（制御部２０）は、第２の画像補正パラメータに基づき、第１及び第２の範囲外画素の第１の明度差を第２の明度差より大きい第３の明度差に拡大し、その後、画像補正パラメータにより補正された入力画像をガマットマッピング処理（色圧縮）する。
【００３４】
つまり、ガマット差が比較的小さい場合には（例えば各範囲外画素の階調差が小さくなってしまっても画質への悪影響が小さい場合には）、画像処理装置（制御部２０）は、第１の画像補正パラメータを設定し、第１の画像補正パラメータに基づき、各範囲外画素の明度差を若干拡大する。その後、画像処理装置（制御部２０）は、第１の画像補正パラメータにより補正（各範囲外画素の明度差が若干拡大）された入力画像をガマットマッピング処理（色圧縮）する。これにより、第１及び第２の範囲外画素（各範囲外画素）は、出力ガマット（出力色再現範囲）に収まる。
【００３５】
一方、ガマット差が比較的大きい場合には（例えば各範囲外画素の階調差が小さくなってしまうと画質への悪影響が大きい場合には）、画像処理装置（制御部２０）は、第２の画像補正パラメータを設定し、第２の画像補正パラメータに基づき、各範囲外画素の明度差を比較的大きく拡大する。その後、画像処理装置（制御部２０）は、第２の画像補正パラメータにより補正（各範囲外画素の明度差が比較的大きく拡大）された入力画像をガマットマッピング処理（色圧縮）する。これにより、第１及び第２の範囲外画素（各範囲外画素）は、出力ガマット（出力色再現範囲）に収まる。このケースでは、ガマットマッピング処理後（色圧縮後）でも、ガマットマッピング処理前の画素の明度差をある程度維持したまま、第１及び第２の範囲外画素（各範囲外画素）を出力ガマット（出力色再現範囲）に収めることができる。
【００３６】
同様に、画像処理装置（制御部２０）は、出力色再現範囲から外れる各範囲外画素の数に基づき、画像補正パラメータを可変制御する。具体例を挙げると、画像処理装置（制御部２０）は、第１の範囲外画素数（比較的小さい値）に基づき第１の画像補正パラメータを設定し、第１の範囲外画素数より大きい第２の範囲外画素数（比較的大きい値）に基づき第２の画像補正パラメータを設定する。さらに、画像処理装置（制御部２０）は、第１の画像補正パラメータに基づき、第１及び第２の範囲外画素の第１の明度差を第１の明度差より広い第２の明度差に拡大し、その後、第１の画像補正パラメータにより補正された入力画像をガマットマッピング処理（色圧縮）する。また、画像処理装置（制御部２０）は、第２の画像補正パラメータに基づき、第１及び第２の範囲外画素の第１の明度差を第２の明度差より大きい第３の明度差に拡大し、その後、画像補正パラメータにより補正された入力画像をガマットマッピング処理（色圧縮）する。
【００３７】
つまり、ガマット差が比較的小さい場合には（例えば各範囲外画素の階調差が小さくなってしまっても画質への悪影響が小さい場合には）、画像処理装置（制御部２０）は、第１の画像補正パラメータを設定し、第１の画像補正パラメータに基づき、各範囲外画素の明度差を若干拡大する。その後、画像処理装置（制御部２０）は、第１の画像補正パラメータにより補正（各範囲外画素の明度差が若干拡大）された入力画像をガマットマッピング処理（色圧縮）する。これにより、第１及び第２の範囲外画素（各範囲外画素）は、出力ガマット（出力色再現範囲）に収まる。
【００３８】
一方、ガマット差が比較的大きい場合には（例えば各範囲外画素の階調差が小さくなってしまうと画質への悪影響が大きい場合には）、画像処理装置（制御部２０）は、第２の画像補正パラメータを設定し、第２の画像補正パラメータに基づき、各範囲外画素の明度差を比較的大きく拡大する。その後、画像処理装置（制御部２０）は、第２の画像補正パラメータにより補正（各範囲外画素の明度差が比較的大きく拡大）された入力画像をガマットマッピング処理（色圧縮）する。これにより、第１及び第２の範囲外画素（各範囲外画素）は、出力ガマット（出力色再現範囲）に収まる。このケースでは、ガマットマッピング処理後（色圧縮後）でも、ガマットマッピング処理前の画素の明度差をある程度維持したまま、第１及び第２の範囲外画素（各範囲外画素）を出力ガマット（出力色再現範囲）に収めることができる。
【００３９】
本実施形態の画像処理装置は、例えば、以下のように構成されている。
【００４０】
画像処理装置は、ビットマップデータの画像を補正する装置であって、ビットマップデータを入力する入力部と、画像補正に用いる特徴量を上記ビットマップデータから算出し、前記特徴量を用いて算出される補正画素値における画像補正のパラメータを画像出力装置の特性に応じて調節して出力する。
【００４１】
さらに画像処理装置は、出力装置の特性としてガマット情報を利用する。さらに、画像処理装置は、出力装置の特性として、出力装置の印刷条件(両面印刷/片面印刷、Ｎ面へ印刷するためのＮ画像を１面へ縮小印刷するＮｉｎ１印刷、用紙種類)に応じて定められた色材料制限値から決定するガマット情報を利用する。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１１…外部情報入力部、１２…紙格納部、１３…印刷部、２０…制御部、２１…ＣＰＵ、２２…記憶装置、２３…演算Ｉ／Ｏ部
【図１】
2011130437.tif 000005
【図２】
2011130437.tif 000006
【図３】
2011130437.tif 000007
【図４】
2011130437.tif 000008
【図５】
2011130437.tif 000009
【図６】
2011130437.tif 000010
【図７】
2011130437.tif 000011
【図８】
2011130437.tif 000012
【図９】
2011130437.tif 000013
【図１０】
2011130437.tif 000014